(57)【要約】      （修正有）【課題】小型化が図れ、視標の自動移動の制御を行うことができる視力訓練器を提供する。【解決手段】格納空間筐体内に、水平に往復、又は定点に維持させる視標往復機構３と、視標往復機構３の視標に対する移動距離を制御するためのコントローラ５と、格納空間の外側に所定の長さに伸びる第一の伸縮部材１５に嵌合する第二の伸縮部材１７と、スライド可能なように、第一の伸縮部材１５の一端に設けられ、格納空間内の視標を見るための接眼部１１と、を含む視力訓練器である。【選択図】図１（Ｂ）
2008200077.tif 000002
【特許請求の範囲】
【請求項１】
格納空間を有する筐体と、
前記格納空間に収納され、視標を前記格納空間内で水平に往復させ又は定点に維持させる視標往復機構と、
前記視標往復機構に電気的に接続され、前記視標往復機構の視標に対する移動距離を制御するためのコントローラと、
前記格納空間の外側に形成され、前記格納空間から所定の長さに伸びることができ、且つ所定の長さに伸びたら下記の第二の伸縮部材の一端に嵌め合わされる第一の伸縮部材と、
前記第一の伸縮部材の外側に形成され、前記格納空間から所定の長さに伸びることができながら前記第一の伸縮部材を連動させる第二の伸縮部材と、
スライド可能なように、前記第一の伸縮部材が前記格納空間から伸びた一端に設けられ、前記格納空間内の視標を見るための接眼部と、を備えることを特徴とする視力訓練器。
【請求項２】
前記視標往復機構は、
移動部と、
前記移動部を搭載するための基盤と、
前記移動部の中に設けられる伝動ギアセットと、
前記移動部の外部の対向する両側に設けられ、前記伝動ギアセットに接続される主動ギア及び従動ギアと、
前記移動部の外側の頂部に設けられ、前記接眼部で注視可能な視標と、
前記移動部の底部に設けられるタッチスイッチと、を含み、
前記基盤は前記格納空間に収納され、前記基盤の対向する両側にそれぞれラックレールが形成され、一つのラックレールの下側に計数歯軌条が形成されることを特徴とする請求項１に記載の視力訓練器。
【請求項３】
前記第二の伸縮部材の外側に形成され、一端が前記格納空間から所定の長さに伸びた前記第二の伸縮部材に嵌め合わされ、さらに前記格納空間から所定の長さに伸びることができ、且つ前記格納空間の一端に嵌め合わされ、前記第一と第二の伸縮部材を連動させる、第三の伸縮部材をさらに含むことを特徴とする請求項１に記載の視力訓練器。
【請求項４】
格納空間を有する筐体と、
前記筐体の格納空間に収納され、前記筐体に軸接して接続され、格納空間を有する操作部と、
前記操作部の格納空間に収納され、視標を前記操作部の格納空間に水平に往復させ又は定点に維持させる視標往復機構と、
前記視標往復機構に電気的に接続され、前記視標往復機構の前記視標に対する移動距離を制御するためのコントローラと、
前記操作部の格納空間の外側に形成され、前記操作部の格納空間から所定の長さに伸びることができ、且つ所定の長さに伸びたら下記の第二の伸縮部材の一端に嵌め合わされる第一の伸縮部材と、
前記第一の伸縮部材の外側に形成され、前記操作部の格納空間から所定の長さに伸びることができながら前記第一の伸縮部材を連動させる第二の伸縮部材と、
スライド可能なように、前記第一の伸縮部材が前記操作部の格納空間から伸びた一端に設けられ、前記操作部の格納空間内の視標を見るための接眼部と、を備えることを特徴とする視力訓練器。
【請求項５】
前記視標往復機構は、
移動部と、
前記移動部を搭載するための基盤と、
前記移動部の中に設けられる伝動ギアセットと、
前記移動部の外部の対向する両側に設けられ、前記伝動ギアセットに接続される主動ギア及び従動ギアと、
前記移動部の外側の頂部に設けられ、前記接眼部で注視可能な視標と、
前記移動部の底部に設けられるタッチスイッチと、を含み、
前記基盤は前記操作部の格納空間に収納され、前記基盤の対向する両側にそれぞれラックレールが形成され、一つのラックレールの下側に計数歯軌条が形成されることを特徴とする請求項４に記載の視力訓練器。
【請求項６】
前記基盤は、凹形を成す構成であることを特徴とする請求項２又は５に記載の視力訓練器。
【請求項７】
前記視標は、表示ユニットであることを特徴とする請求項２又は５に記載の視力訓練器。
【請求項８】
前記表示ユニットは、冷光板、ＬＣＤディスプレー及びＬＥＤディスプレーのうちのいずれか一つであることを特徴とする請求項７に記載の視力訓練器。
【請求項９】
前記タッチスイッチは、所定の距離で重なる二つの金属シートを有し、そのうちの一つの金属シートは凸部を有することを特徴とする請求項２又は５に記載の視力訓練器。
【請求項１０】
前記コントローラは、ディスプレーと少なくとも一つの入力部を含むことを特徴とする請求項１又は４に記載の視力訓練器。
【請求項１１】
前記第二の伸縮部材の外側に形成され、一端が前記操作部の格納空間から所定の長さに伸びた前記第二の伸縮部材に嵌め合わされ、さらに前記操作部の格納空間から所定の長さに伸びることができ且つ前記操作部の格納空間の一端に嵌め合わされ、前記第一と第二の伸縮部材を連動させる、第三の伸縮部材をさらに含むことを特徴とする請求項４に記載の視力訓練器。
【請求項１２】
前記操作部は、中空構造であることを特徴とする請求項４に記載の視力訓練器。
【請求項１３】
前記第一と第二の伸縮部材は中空管体の構造であり、
前記視標往復機構は、
移動部と、
前記移動部を搭載するための基盤と、
前記移動部の中に設けられる伝動ギアセットと、
前記移動部の外部の対向する両側に設けられ、前記伝動ギアセットに接続される主動ギア及び従動ギアと、
前記移動部の外側の頂部に設けられ、前記接眼部で注視可能な視標と、
前記移動部の底部に設けられるタッチスイッチとを含み、
前記基盤は前記操作部の格納空間に収納され、前記基盤の対向する両側にそれぞれラックレールが形成され、一つのラックレールの下側に計数歯軌条が形成され、
前記第一と第二の伸縮部材の中空管体の構造にそれぞれ開口部が設けられ、前記視標往復機構の視標を前記第一と第二の伸縮部材の中空管体の構造に嵌め込ませることを特徴とする請求項１２に記載の視力訓練器。
【発明の詳細な説明】
【技術分野】
【０００１】
本発明は、視力訓練器に関し、特に、長さを自由に伸縮することが可能であって、装置全体の体積を縮小することができ、小型化できると共に、マルチ移動モードの選択設定や、視標の自動移動の制御を行うことができ、優れた機能を維持しながら製造コストを低減でき、使用上の利便性に優れ産業上の利用価値を向上可能な視力訓練器を提供する。
【背景技術】
【０００２】
「目は魂の窓である」という言葉は、人間は視力を無くしたとしてもなお生存可能であるが、視力を失うことにより魂を維持できなくなることを示し、このことから視力が如何に重要であるかが分かる。そのため、視力改善に関する技術が非常に注目されている。一般的に、視力改善に関する技術では、光学機器又は機構設備により視力トレーニングを行う。関連する特許は例えば米国特許公開第２００３／１９７８５６号、米国特許第４４０８８４６号、中華民国実用新案公告第５２７９１１号、中華民国実用新案公告第３６７８４８号、及び中華民国実用新案公告第２４１５３５号などに開示されている。
【０００３】
光学機器は一般的に遠い距離を見るトレーニングにのみ応用可能であり、このような特許技術は例えば米国特許公開第２００３／１９７８５６号に開示される屈折計、及び中華民国実用新案公告第５２７９１１号に開示される小型視力トレーナー兼自覚式視力測定装置がある。しかしながら、このような技術では応用できるトレーニングの範囲が制限され、産業上の利用価値が低い。
【０００４】
また、機構設備について言えば、視標の前後移動を制御するために、視力改善に係る機構設備の体積が非常に大きく、長さが2メートル程度にもなり、このような特許技術には例えば米国特許第４４０８８４６号に開示される視力の敏感さを改善するための方法及びその装置、中華民国実用新案公告第３６７８４８号に開示される視力回復運動装置、及び中華民国実用新案公告第２４１５３５号に開示される視力回復装置がある。しかしながら、このような技術を応用した装置は体積が大きくなり、大きな設置空間を必要とするため、一般の家庭には不向きである。従って、これらの技術は応用範囲が制限され、産業上の利用価値を向上させることができないという問題がある。
【０００５】
また、光学機器であれ機構設備であれ、前記の従来技術ではさらに他の改善すべき欠点がある。例えば、前記の従来技術を用いる時、ユーザーがヒューマンインタフェースで所望のトレーニング又は運動モードを自分で調整したり制御することができず、操作がしにくく、使用意欲を削いでいる。さらに、例えば可動式ゴーグルで開閉して目を覆うことで、左目又は右目のどちらで視標を見るかを決めなければならない。しかしながら、このような可動式ゴーグルは開閉を繰り返すことによって壊れ易くなり、使用寿命が短くなる。そのため、前記の従来技術には、なお使用上の利便性に欠け、部品寿命が短いなどの問題がある。
【０００６】
従って、現在使用されている視力改善技術は機能に制限があり、体積が大きくて家庭での使用に不向きであり、さらに部品寿命が短いなどの欠点があるため、前記の従来技術における様々な問題点を改善して、小型化できると共に優れた機能を維持できる視力改善技術を、如何にして提供し、使用上の利便性と部品の耐久性を向上し、家庭での使用に資するかが、解決が待たれる重要な課題となっている。
【発明の開示】
【発明が解決しようとする課題】
【０００７】
以上のとおりの事情に鑑み、本発明は、小型化できると共に、マルチ移動モードの選択設定、視標の自動移動の制御および機能の優位性の維持が可能な視力訓練器を提供することを課題とする。
【０００８】
また、本発明は、使用上の利便性を向上できる視力訓練器を提供することを課題とする。
【０００９】
また、本発明は、部品の耐久性を向上できる視力訓練器を提供することを課題とする。
【００１０】
また、本発明は、家庭での使用に好適である視力訓練器を提供することを課題とする。
【課題を解決するための手段】
【００１１】
上記の課題を解決するために、本発明に係る視力訓練器は、格納空間を有する筐体と、格納空間に収納され、視標を格納空間内で水平に往復させ又は定点に維持させる視標往復機構と、視標往復機構に電気的に接続され、視標往復機構の視標に対する移動距離を制御するためのコントローラと、格納空間の外側に形成され、格納空間から所定の長さに伸びることができ、且つ所定の長さに伸びたら下記の第二の伸縮部材の一端に嵌め合わされる第一の伸縮部材と、第一の伸縮部材の外側に形成され、格納空間から所定の長さに伸びることができながら第一の伸縮部材を連動させる第二の伸縮部材と、スライド可能なように、第一の伸縮部材が格納空間から伸びた一端に設けられ、格納空間内の視標を見るための接眼部と、を含むことを特徴とする。
【００１２】
本発明の他の視力訓練器の実施例において、この視力訓練器は、格納空間を有する筐体と、前記筐体の格納空間に収納され、筐体に軸接して接続され、格納空間を有する操作部と、前記操作部の格納空間に収納され、視標を前記操作部の格納空間に水平に往復させ又は定点に維持させる視標往復機構と、前記視標往復機構に電気的に接続され、前記視標往復機構の前記視標に対する移動距離を制御するためのコントローラと、前記操作部の格納空間の外側に形成され、前記操作部の格納空間から所定の長さに伸びることができ、且つ所定の長さに伸びたら下記の第二の伸縮部材の一端に嵌め合わされる第一の伸縮部材と、前記第一の伸縮部材の外側に形成され、前記操作部の格納空間から所定の長さに伸びることができながら前記第一の伸縮部材を連動させる第二の伸縮部材と、スライド可能なように、前記第一の伸縮部材が前記操作部の格納空間から伸びた一端に設けられ、前記操作部の格納空間内の視標を見るための接眼部と、を含むことを特徴とする。
【００１３】
従来の技術と比べると、本発明に係る視力訓練器は多段階に伸縮の長さを選択可能で且つ装置全体の体積を縮小できる視標往復機構をデザインすることができるため、従来の技術における、装置の体積が大きく、大きな設置空間を必要とし、一般の家庭での使用に不向きであるために応用範囲が制限され、産業上の利用価値を向上させることができないという欠点を解消できる。さらに、本発明によれば、ヒューマンインタフェースのコントローラによりユーザーは容易に所望の機能及び操作モードを選択することができ、従来の技術によるユーザーがヒューマンインタフェースで所望のトレーニング又は運動モードを自分で調整したり制御することができず、操作がしにくく、提供可能なトレーニングの範囲が制限される問題を解消することができる。本発明に係る装置は、体積が小さく一般家庭に好適なため、従来技術における応用範囲が制限される問題や産業利用価値が向上できない欠点を回避することができる。また、本発明によれば、従来の技術のような、可動式ゴーグルで開閉して目を覆うことで、左目又は右目のどちらで視標を見るかを決めなければならないために、可動式ゴーグルが開閉を繰り返すことによって壊れ易くなり、使用寿命が短くなる問題は、スライド可能かつ耐久性に優れた接眼部材により回避可能であり、多段階伸縮の設計により、装置全体の体積を縮小し、製造コストを低減して産業上の利用価値を向上させることができる。
【００１４】
このように、本発明に係る視力訓練器は、製品を小型化させると共に、優れた機能を維持するという目的を果たすことが可能であり、ユーザーが容易に操作でき、視力訓練器の部品の耐久性が向上し、ヒューマンインタフェースにより全ての機能の操作がより容易となるため、装置の機能を向上させ、一般の家庭での使用にも好適となる。さらに、本発明に係る視力訓練器はマルチ移動モードの選択設定及び視標の自動移動の制御機能を提供し、ユーザーの視力訓練器の使用に対する意欲を向上させることができ、従来の技術による、機能に制限があり、体積が大きく家庭での使用に不向きであり、使用上の利便性が低く、部品の耐久性が低いなどの問題を改善できることにより、従来の技術による様々な問題点を改善し、産業上の利用価値をさらに向上させることができる。
【発明を実施するための最良の形態】
【００１５】
以下、具体的な実施例によって本発明の実施形態を説明する。当業者は本明細書に記載の内容から本発明のその他の利点や効果を容易に理解することができる。
【００１６】
また、以下図面に基いて本発明の実施例を説明するが、この実施例は例示に過ぎず、実際に実施する際の各構成素子の数量、形状および寸法を制限するものではない。各構成素子の数量、形状および寸法は実際に実施する場合の必要に応じて変更が可能であり、本明細書に記載の実施形態に種々の修飾と変更が可能であることは言うまでもない。またそうした修飾や変更も本発明の請求範囲に含まれる。
【００１７】
図１（Ａ）、図１（Ｂ）及び図１（Ｃ）は、それぞれ本発明に係る視力訓練器の外観図、視力訓練器の使用状態図、及び図１（Ａ）におけるＡ−Ａ線の断面図である。図１（Ａ）、図１（Ｂ）及び図１（Ｃ）に示すように、この実施例に係る視力訓練器は、筐体１と操作部１０を含み、筐体１は、操作部１０を収納するための格納空間を有し、且つ操作部１０の一端は筐体１に軸接して接続され、他の一端には接眼部１１が設けられ、接眼部１１はユーザーが目視トレーニングするのに用いられるものである。目視距離を調整して視力トレーニングを行う方法については後述する。視力トレーニングの効果を得るために、通常右目と左目のトレーニングは別々に行われる。そのため、この実施例における接眼部１１は操作部１０上において左右に移動させることができ、右方向に移動させると、ユーザーは左目のトレーニングを行うことができ、左方向に移動させると、ユーザーは右目のトレーニングを行うことができる。そして、操作部１０と筐体１とが軸接して接続されることによって、操作部１０の接眼部１１の仰角角度を調整でき、筐体１が置かれたテーブルの高さ又はユーザーが座る姿勢の高さ等を適当な仰角角度に調整でき、それによってトレーニングを行う。軸接による接続は、一般の軸接素子を使用すればよい。また、接眼部１１近くにコントローラ５が設けられ、コントローラ５によってユーザーは所望のトレーニング距離などの項目を設定することができる。そのうち、距離の設定に関しては後述する。
【００１８】
この実施例における操作部１０は、中空構造であり、中空構造により格納空間１３を形成し、それによって複数の伸縮部材（１５、１７、１８）及び視標往復機構３を収納する。
【００１９】
視標往復機構３は、図２（Ａ）に示すように、操作部１０に形成される格納空間１３に収納される。図２（Ｂ）は、図２（Ａ）に示した視標往復機構３の横方向の断面図であり、視標往復機構３は、移動部３１と、移動部３１を搭載するための基盤１３０と、移動部３１の中に設けられる伝動ギアセット（図示せず）と、移動部３１の外側の対向する両側に設けられ、伝動ギアセットに接続される主動ギア３３及び従動ギア３５と、移動部３１の外側の頂部に設けられる視標３７と、移動部３１の底部に設けられるタッチスイッチ３９を含む。この実施例における基盤１３０は凹形の構造を成し、この凹形の構造内部の対向する両側にはそれぞれラックレール１３１（歯軌条）が形成され、伝動ギアセットの主動ギア３３と従動ギア３５とがラックレール１３１に接続され、それによって移動部３１が基盤１３０上を移動できるようにする。
【００２０】
伝動ギアセットは、コントローラ５に電気的に接続される駆動モーター及び駆動モーターに接続されるギアセットから構成される。移動部３１の外側の主動ギア３３と従動ギア３５はラックレール１３１の対応する位置に組み合わされ、コントローラ５によって、伝動ギアセットが主動ギア３３と従動ギア３５をラックレール１３１において往復移動させるのを制御すると共に、移動部３１の外側の頂部の視標３７を往復移動させるのを制御することにより、ユーザーが視力トレーニング及び目視物（視標３７）の位置決め調整をできるようにする。
【００２１】
この実施例における視標３７は冷光板であるが、それに限定されるものではなく、視標３７はＬＣＤディスプレー又はＬＥＤディスプレーなどの表示ユニットを使用してもよい。視標３７は、さらにコントローラ５に電気的に接続され、このコントローラ５はマイクロプロセッサ（図示せず）、メモリ（図示せず）、ディスプレー５１及び入力部５３を含む。入力部５３はユーザーが制御信号を入力して、ディスプレー５１、移動部３１又は冷光板の動作を制御できるようにするためのものである。また、本発明に係る視力訓練器における、視標往復機構３の移動部３１に対する動作制御には二つのモードが提供され、一つはユーザーセルフコントロールモードであり、もう一つはプリセットモードである。ユーザーセルフコントロールモードとは、ユーザーが入力部の前後移動を表すボタンで移動部３１が基盤１３０のラックレール１３１を前後に移動するのを制御することにより、ユーザーが移動中の視標を見ながら視力トレーニングの効果を得るものである。プリセットモードとは、ユーザーが入力部５３で制御することなく、プログラムで移動部３１を基盤１３０に自動的に前後移動させるものであるが、プリセットモードを選択する前に、ユーザーが視標３７の位置をはっきり見える位置に設定しておくことが望ましい。即ち、移動部３１の原点位置を予め設定しておいた後、設定後の原点位置を中心点として、中心点に基づいてコントローラ５で移動部３１が所定の距離で往復移動するのを制御し、所定の距離はユーザーが自分で設定することも可能であるし又コントローラ５のプリセットされたパラメータから得てもよく、ユーザーが自動的に移動中の視標３７を見ることにより視力トレーニングの効果が得られる。ディスプレー５１は入力部５３から入力された制御信号又は移動部３１の作動状態に応じて、対応するメッセージを示す。
【００２２】
また、入力部５３から入力された制御信号には、前述した移動部３１の往復移動の移動距離を制御するもの又は移動部３１の移動モードがユーザーセルフコントロールモードかプリセットモードかを設定するもののほかに、視力トレーニング結果や視力トレーニングパラメータの保存を行うもの、又は前述したディスプレーユニットにメッセージを示すものなどを含む。一般には、省エネのために、コントローラ５が、所定の時間内に入力部５３から制御信号が入力されていないと判定した場合、冷光板、ディスプレー５１及び伝動ギアセットへの電力の供給を停止させてもよい。コントローラは従来のコンピュータ構成であってもよく、制御信号の入力、処理、判断、計算、保存又はディスプレー５１の表示処理もまた一般のコンピュータの技術であってもよいため、ここでは詳しい説明を省略する。
【００２３】
また、図２（Ｂ）に示すように、タッチスイッチ３９は、移動部３１の底部で且つ計数歯軌条１３３に対応する位置に設けられ、間隔を置いて重なる金属シート３９１、３９３からなり、コントローラ５に電気的に接続され、金属シート３９１は、計数歯軌条１３３の歯頂部と干渉関係になる凸部３９１１を有する。視標３７を移動させる時、金属シート３９１上の凸部３９１１は計数歯軌条１３３の歯頂部に接触し、外側への弾性変形により金属シート３９３に接触することによって、コントローラ５への電気的な信号を生じ、凸部３９１１が歯頂部を超えると、金属シート３９１に蓄積された弾性回復力が解放されて元に戻り、且つ凸部３９１１を連動させて歯間に位置させる。この時、金属シート３９１は金属シート３９３と分離し、信号の伝送も中断される。視標３７が移動し続けると、金属シート３９１を計数歯軌条１３３と歯間との間に連続的に上下移動させることにより、コントローラ５への断続信号を連続的に生じる。一回の上下移動は凸部３９１１が計数歯軌条１３３の歯の距離（ピッチ）を超えることを表し、金属シート３９１の上下移動の回数を記録することにより視標３７の移動距離を換算することができるため、コントローラ５へ伝送された信号により視標３７の移動距離を簡単に換算することができる。
【００２４】
また、前述した視標往復機構３の移動部３１のプリセットモードに対応するため、即ち、移動部３１が設定後の原点を中心点として、所定の距離で前後に往復移動する際、移動部が前進又は後退する時に基盤１３０の前後の両側に接触しないように、ラックレール１３１が設けられていない基盤１３０の対向する両側（即ち基盤１３０の前後両端）にそれぞれ前記タッチスイッチ３９の部品が設けられることにより、視標往復機構３の移動部３１が基盤１３０を往復する際、基盤１３０の最先端部まで移動すると、移動部３１は基盤１３０の先端のタッチスイッチ（図示せず）に接触する。前述したように、タッチスイッチは弾性変形により電気的な信号を生じてコントローラ５に伝送することにより、視標往復機構３の移動部３１が基盤１３０の最先端部まで移動したことをコントローラ５に知らせ、主動ギア３３を連動させ反対方向にラックレール１３１上を移動するように伝動ギアセットを制御する。つまり、視標往復機構３の移動部３１を他方（即ち基盤１３０の最後端部）に移動させ、視標往復機構３の移動部３１が基盤１３０後端のタッチスイッチ（図示せず）に接触するまで移動させる。これは前記の作動原理と同様であるため、ここでは詳しい説明を省略する。
【００２５】
また、他の実施例において、基盤１３０の前後端のタッチスイッチを移動部３１の前後端に設けてもよい。
【００２６】
また、この実施例における伸縮部材の数量は三つを例にしたが、それに限定されるものではなく、実施の形態により伸縮部材の数量を増減させることができる。この実施例における伸縮部材（１５、１７、１８）は中空管体の構造であり、第一の伸縮部材１５は第二の伸縮部材１７の中に収納され、第二の伸縮部材１７は第三の伸縮部材１８の中に収納され、接眼部１１は第一の伸縮部材１５に接続される。この実施例においては、各伸縮部材（１５、１７、１８）の管体構造にそれぞれ開口部を設けることにより、各伸縮部材（１５、１７、１８）が操作部１０によって形成された格納空間１３に収納された際、視標往復機構３の視標３７が各伸縮部材（１５、１７、１８）に嵌め込まれる。図１（Ｃ）に示すように、移動部３１が基盤１３０を移動する際、移動部３１の頂部に設けられる視標３７も各伸縮部材１８の中に移動させることができる。
【００２７】
各伸縮部材（１５、１７、１８）は中空管体の構造で重なるために、ユーザーが第一の伸縮部材１５に接続された接眼部１１で視標往復機構３の移動部３１の頂部の視標３７を見ることができ、ユーザーが必要に応じて注視距離を増加させることができる。つまり、図１（Ｂ）に示すように、視力のよいユーザーは、第一の伸縮部材１５を第二の伸縮部材１７から引き出し、さらに第二の伸縮部材１７を第三の伸縮部材１８から引き出すことによって、注視距離を増加させることができる。この実施例における第一の伸縮部材１５、第二の伸縮部材１７及び第三の伸縮部材１８は長さが同じであるが、それに限定されるものではなく、実施の形態によって変化させることも可能である。
【００２８】
また、各伸縮部材（１５、１７、１８）が操作部１０から引き出された後、コントローラ５と視標往復機構３との間の電気的接続経路も相対的に長くなるため、コントローラ５と視標往復機構３との電気的接続を行うために、各伸縮部材（１５、１７、１８）の中空管体の構造の内壁にそれぞれ回路基板（ＰＣＢ）が設けられ、各伸縮部材（１５、１７、１８）によって形成された管体の積層構造により、各伸縮部材の回路基板での電気的な信号を伝送するためのパターン又は端子を直列に接続させることによって、注視距離を増加させることが可能であると同時に、コントローラ５と視標往復機構３との電気的接続を実現させることができる。
【００２９】
図３は本発明に係る視力訓練器の使用状態を説明するための側面図である。視力訓練を行う際、ユーザーが入力部５３で電源印加の処理を入力し、ディスプレー５１に操作モードの入力メッセージを示すことで、入力部５３で必要な視力トレーニングモードを選択できるようにする。この実施例における視力トレーニングモードは四段階のモードを提供し、第一段階は各伸縮部材が全て操作部１０から引き出されないモードであり、最も視力の良くないユーザーのために提供され、第二段階は第一の伸縮部材１５が操作部１０から引き出されたモードであり、視力の良くないユーザーのために提供され、第三段階は第一と第二の伸縮部材（１５、１７）が操作部１０から引き出されたモードであり、視力がまだ良好のユーザーために提供され、第四段階は図３に示すように、第一、第二及び第三の伸縮部材（１５、１７、１８）が全て操作部１０から引き出されたモードであり、最も視力のよいユーザーのために提供される。モードの段階数と伸縮部材の数は特に限定されるものではなく、実施の形態によって増減させることができる。視力訓練器の操作部１０でモードを設定して、入力部で対応するモード情報を入力した後、ユーザーにより接眼部１１の左右位置又は仰角角度を調整する。前述したように、接眼部１１が右方向に移動すると、左目をトレーニングすることを示し、接眼部１１を左方向に移動すると、右目をトレーニングすることを示す。接眼部１１の位置を調整した後、ユーザーは視力トレーニングすべき目を接眼部１１に当て、入力部５３により、視標往復機構３の移動部３１の主動ギア３３が基盤１３０のラックレール１３１を往復するための制御信号を入力すると同時に、接眼部１１で移動部３１頂部の視標３７が制御信号に対応して往復移動するのを見ることもできる。
【００３０】
さらに、本発明における移動部３１は、基盤１３０を往復することができる外、移動部３１とコントローラとの電気的接続関係により、視標３７の旋回をコントロールし、視標３７の表示内容を変更することもできるため、豊富なトレーニング内容を得ることができる。
【００３１】
本発明に係る視力訓練器における視標３７の移動距離は、タッチスイッチ３９によってラックレール１３３で生じた接触回数に基づいてコントローラ５により移動距離が換算され、且つ前述の設定しておいた視力トレーニングモードに対応する距離を加算する総距離である。この総距離はユーザーの接眼部１１（即ちユーザーの目）と視標３７との距離（即ち遠点距離）であり、この遠点距離から目における光の屈折度を推算し、コントローラ５を介して推算した屈折度をディスプレー５１に示す。
【００３２】
さらに、プリセットモードで見る場合、入力部５３で往復運動の速度、長さ、回数、停止時間、および移動部３１又は視標３７に対して制御可能なパラメータを設定することにより、視標往復機構３が対応する往復動作を行い、視標３７が定点を中心として前後・遠近の自動往復移動を行い、ユーザーに非定点の移動トレーリングを提供する。
【００３３】
本発明と従来の技術との異なる点は、本発明の実施例において、注視距離を調節でき、視標の位置を往復移動させる視力訓練器を用いることにより、所望の注視距離を提供すると共に、装置の体積を抑制することができるために、従来の技術による装置の体積が過大となる問題を解消でき、より幅広い視力トレーニングの範囲に応用することが可能となる。従って、本発明によれば、装置の小型化を実現できると共に、優れた機能を維持することができる。
【００３４】
また、コントローラのヒューマンインタフェースにより、ユーザーが所望の機能及び操作モードを簡単に選択することができるため、従来の技術におけるユーザーが自分で所望のトレーニング又は運動モードを調整できないという問題を解決することができる。従って、本発明によれば、使用上の利便性を向上させることができる。
【００３５】
さらに、本発明によれば、移動可能な接眼部を用いるため、従来技術のようにゴーグルの開閉を繰り返す必要がなく、従来技術によるゴーグルの寿命が短い欠点を解決することができ、接眼部を水平に移動することにより、ユーザーが片目で視標を直視することができるために、トレーニングの効果がさらに向上する。従って、本発明によれば、部品の耐久性を向上することができる。また、本発明に係る装置は、体積が小さく、使用場所が制限されることがないため、従来の技術による家庭での使用に不向きであるという欠点を解決することができる。さらに、本発明における視標は冷光板を用いるために、従来の技術において生じる欠点、例えば電球を用いることによって視標の光源を提供した場合に、影を生じやすい、眩しい、輝度が不均一である、製品寿命が短い、消費電力が高いなどの欠点を解決することができ、産業上の利用価値を向上させることもできる。
【００３６】
従って、本発明によれば、従来技術による装置の過大な体積、低い耐久性、低い利便性によって生じる種々の問題を解決することができ、ひいては産業上の利用価値を向上させることもできる。
【００３７】
以上、具体的な実施例を基に本発明を説明したが、これらは本発明の特色や効果を例示的に示すものに過ぎず、本発明の実施可能な範囲を限定するものではない。例えば、他の実施例において、中空構造の操作部１０を設けずに、視標往復機構３を直接に凹状の筐体の中（図示せず）に設けてもよく、凹状の筐体は格納空間を有するために、視標往復機構３の基盤１３０を収納することができる。さらに、当該筐体はさらに、視標往復機構３の外側に形成され且つ格納空間と凹形を成す第一の伸縮部材と、この第一の伸縮部材の外側に形成され、凹形を成す第二の伸縮部材とを含む。こうした異なる変更例も実施形態によっては実施可能であることは言うまでもない。つまり、本発明の要旨と技術範囲に背かない限りにおいて、本発明に記載の内容に基いて行われたいかなる変更や修飾も、本発明の特許請求範囲に含まれるものである。
【図面の簡単な説明】
【００３８】
【図１（Ａ）】本発明に係る視力訓練器の外観図である。
【図１（Ｂ）】本発明に係る視力訓練器の使用状態図である。
【図１（Ｃ）】図1（Ａ）におけるＡ−Ａ線の断面図である。
【図２（Ａ）】本発明に係る視力訓練器の視標往復機構を示す図である。
【図２（Ｂ）】図２（Ａ）に示す視標往復機構の横方向の断面図である。
【図３】本発明に係る視力訓練器の使用状態の側面図である。
【符号の説明】
【００３９】
１  筐体
３  視標往復機構
５  コントローラ
１０  操作部
１１  接眼部
１３  格納空間
１５  第一の伸縮部材
１７  第二の伸縮部材
１８  第三の伸縮部材
３１  移動部
３３  主動ギア
３５  従動ギア
３７  視標
３９  タッチスイッチ
５１  ディスプレー
５３  入力部
１３０  基盤
１３１  ラックレール
１３３  計数歯軌条
３９１、３９３  金属シート
３９１１  凸点
【図１（Ａ）】
2008200077.tif 000003
【図１（Ｂ）】
2008200077.tif 000004
【図１（Ｃ）】
2008200077.tif 000005
【図２（Ａ）】
2008200077.tif 000006
【図２（Ｂ）】
2008200077.tif 000007
【図３】
2008200077.tif 000008